(57)【要約】  ワイヤレスローカルエリアネットワークを介してユーザ装置を通信ネットワークに接続する方法であって、アクセスポイントを選択する第１選択ステップと、通信ネットワークを選択する第２選択ステップとを含み、前記接続が失敗した場合に、通信ネットワークに対するインターワーキングを前記アクセスポイントがサポートしているか否かを示す情報を含むメッセージを送信する、ことを特徴とする方法が提供される。
2007518332.tif 000002
【特許請求の範囲】
【請求項１】
ワイヤレスローカルエリアネットワークを介してユーザ装置を通信ネットワークに接続する方法であって、
アクセスポイントを選択する第１選択ステップと、
通信ネットワークを選択する第２選択ステップと、
を含み、
前記接続が失敗した場合に、通信ネットワークに対するインターワーキングを前記アクセスポイントがサポートしているか否かを示す情報を含むメッセージを送信する、ことを特徴とする方法。
【請求項２】
インターワーキングが可能である場合に、前記メッセージはインターワーキングが可能である旨を示す、請求項１に記載の方法。
【請求項３】
インターワーキングが可能である旨を示すメッセージが受信されない場合に、インターワーキングが不可能であることを決定する、請求項１又は請求項２に記載の方法。
【請求項４】
ワイヤレスローカルエリアネットワークを介してユーザ装置を通信ネットワークに接続する方法であって、
アクセスポイントを選択する第１選択ステップと、
通信ネットワークを選択する第２選択ステップと、
を含み、
前記接続が失敗した場合に、該接続が失敗した位置を示す情報を含むメッセージを送信する、ことを特徴とする方法。
【請求項５】
前記メッセージが、前記接続の失敗の原因を示す情報を含む、請求項１から請求項４のいずれかに記載の方法。
【請求項６】
前記第１選択ステップが、ＷＬＡＮ内に設けられたアクセスポイントを選択することを含む、請求項１から請求項５のいずれかに記載の方法。
【請求項７】
前記第２選択ステップが、訪問通信ネットワークを選択することを含む、請求項１から請求項６のいずれかに記載の方法。
【請求項８】
前記ユーザを認証するステップを含む、請求項１から請求項７のいずれかに記載の方法。
【請求項９】
前記認証ステップが、前記通信ネットワークを介して前記ユーザを認証することを含む、請求項８に記載の方法。
【請求項１０】
前記メッセージが、
認証シグナリングをサーバにルーティングできなかった旨を示す情報、
認証シグナリングはサーバにルーティングされたが、認証が失敗した旨を示す情報、
認証シグナリングはサーバにルーティングされたが、認証チャンレンジの前に認証が失敗した旨を示す情報、
認証シグナリングはサーバにルーティングされたが、認証チャンレンジの後に認証が失敗した旨を示す情報、
前記アクセスポイントが前記通信ネットワークに対するインターワーキングをサポートしない旨を示す情報、
ホームネットワークに対するローミング関係が存在しない旨を示す情報、
ネットワーク失敗の位置を示す情報、
前記失敗の理由を示す情報、
前記アクセスポイント及び通信ネットワークのうち少なくとも一方における内部失敗を示す情報、
前記アクセスポイント及び通信ネットワークのうち少なくとも一方の一時的使用不能を示す情報、及び
トラフィック輻輳を示す情報、
のうち少なくとも１つを含む、請求項５又は請求項５に従属する請求項のいずれかに記載の方法。
【請求項１１】
前記メッセージに応答して、
異なるアクセスポイントを選択するステップ、
異なる通信ネットワークを選択するステップ、
前記接続を確立することを再試行するステップ、
認証を再試行するステップ、
識別情報を提供するステップ、
のうち少なくとも１つを実行する、請求項１から請求項１０のいずれかに記載の方法。
【請求項１２】
接続が失敗した場合に、前記接続が失敗した旨を示すさらなるメッセージを送信することを含む、請求項１から請求項１１のいずれかに記載の方法。
【請求項１３】
情報を含むメッセージが、ＥＡＰプロトコルに従って送信される、請求項１から請求項１２のいずれかに記載の方法。
【請求項１４】
前記情報を含むメッセージが通知メッセージである、請求項１３に記載の方法。
【請求項１５】
前記メッセージ内の失敗ビットが、失敗を示す値に設定される、請求項１４に記載の方法。
【請求項１６】
ＥＡＰプロトコルに従った複数のメッセージを送信することを含む、請求項１から請求項１５のいずれかに記載の方法。
【請求項１７】
前記メッセージ内の前記情報がエラーコードを含む、請求項１から請求項１５のいずれかに記載の方法。
【請求項１８】
前記情報を含むメッセージが、ＥＡＰ属性メッセージ及びＥＡＰ ＴＬＶメッセージのうち少なくとも一方である、請求項１から請求項１７のいずれかに記載の方法。
【請求項１９】
アクセスポイントを有するワイヤレスローカルエリアネットワークを介して通信ネットワークに接続されるユーザ装置を含むシステムであって、
前記接続が失敗した場合に、前記ワイヤレスローカルエリアネットワークが、前記通信ネットワークに対するインターワーキングを前記アクセスポイントがサポートしているか否かを示す情報を含むメッセージを、ユーザ装置に送信するように構成されている、ことを特徴とするシステム。
【請求項２０】
アクセスポイントを有するワイヤレスローカルエリアネットワークを介して通信ネットワークに接続されるユーザ装置を含むシステムであって、
前記接続が失敗した場合に、前記ワイヤレスローカルエリアネットワークが、前記ネットワークにおける前記接続が失敗した位置を示す情報を含むメッセージを、ユーザ装置に送信するように構成されている、ことを特徴とするシステム。
【請求項２１】
アクセスポイントを有するワイヤレスローカルエリアネットワークを介して通信ネットワークに接続されるユーザ装置を含むシステム内の前記無線ローカルエリアネットワークのエンティティであって、
前記ネットワーク内の接続失敗位置を示す情報を含むメッセージを前記ユーザ装置に送信するように構成されている、ことを特徴とするエンティティ。
【請求項２２】
アクセスポイントを有するワイヤレスローカルエリアネットワークを介して通信ネットワークに接続されるユーザ装置を含むシステム内の前記無線ローカルエリアネットワークのエンティティであって、
前記アクセスポイントが前記通信ネットワークに対するインターワーキングをサポートしているか否かを示す情報を含むメッセージを前記ユーザ装置に送信するように構成されている、ことを特徴とするエンティティ。
【請求項２３】
ワイヤレスローカルエリアネットワークを介して通信ネットワークに接続するユーザ装置であって、
接続が失敗した場合に、アクセスポイントが前記通信ネットワークに対するインターワーキングをサポートしているか否かを示す情報、及び、前記接続が失敗した位置を示す情報のうち少なくとも一方を含むメッセージを受信する手段、を具備することを特徴とするユーザ装置。
【請求項２４】
前記メッセージに応答して、
異なるアクセスポイントを選択すること、
異なる通信ネットワークを選択すること、
前記接続を確立することを再試行すること、
認証を再試行すること、
識別情報を提供すること、
のうち少なくとも１つを実行するように構成されている、
ことを特徴とする請求項２３に記載のユーザ装置。
【請求項２５】
ワイヤレスローカルエリアネットワークを介して通信ネットワークに接続するユーザ装置であって、
接続が失敗した場合にメッセージを受信する手段を具備し、
前記メッセージに応答して、
異なるアクセスポイントを選択すること、
異なる通信ネットワークを選択すること、
前記接続を確立することを再試行すること、
認証を再試行すること、
識別情報を提供すること、
のうち少なくとも１つを実行するように構成されている、
ことを特徴とするユーザ装置。
【発明の詳細な説明】
【技術分野】
【０００１】
本発明は接続方法に関し、特定的には、主に無線ローカルエリアネットワークを介してユーザ装置を公衆陸上モバイルネットワークに接続する方法に関する。
【背景技術】
【０００２】
通信システムは、ユーザ端末及び／又はネットワークエンティティのような２つ以上のエンティティとこの通信システムに結合している他のノードとの間における通信を可能にする設備である。通信には、例えば、音声、電子メール（ｅメール）、テキストメッセージ、データ、マルチメディア等々の通信が含まれる。
【０００３】
通信は、固定回線及び／又はワイヤレス通信インタフェースによって行うことができる。ワイヤレス通信システムの特徴は、ユーザに移動性を与えることである。ワイヤレス通信を提供する通信システムの例は、公衆陸上モバイルネットワーク（ＰＬＭＮ）である。固定回線システムの例は、公衆交換電話機ネットワーク（ＰＳＴＮ）である。
【０００４】
通信システムは、典型的には、システムの様々な要素が何を行うことを許容されているのか及びそれをどのようにして達成すべきであるかを記述している所定の標準又は仕様に従って動作する。例えば、標準又は仕様は、ユーザに、より正確にはユーザ装置に、回線交換サーバ若しくはパケット交換サーバ又はこれら両方を設けるか否かを定義することができる。典型的には、接続のために使用すべき通信プロトコル及び／又はパラメータもまた定義される。例えば、ユーザ装置と通信ネットワークの構成要素との間で実行される通信手法は、典型的には予め定義された通信プロトコルに基づいている。換言すれば、ユーザ装置が通信システムを介して通信できるようにするためには、その通信の基準とすることができる特定セットの規則を定義する必要がある。
【０００５】
３Ｇパートナーシッププロジェクト（３ＧＰＰ）は、ユーザ装置のユーザがサービスにアクセスできるようにする汎用モバイル通信システム（ＵＭＴＳ）コアネットワークのための参照アーキテクチャを定義しつつある。本明細書において使用する「サービス」という用語は、ユーザが望む若しくは要求する又はユーザに提供することができる、任意のサービス又は物品をも広くカバーするものと理解されたい。この用語は、補足的なサービスの提供をカバーすることを理解されたい。特定的には、「サービス」という用語は、限定するものではないが、インターネットプロトコルマルチメディアＩＭサービス、会議、電話、ゲーム、リッチコール、プレゼンス、電子商取引、メッセージ、及びインスタントメッセージングをこれらに限定することなく含むものと理解できよう。
【０００６】
引用により本明細書に組み込まれる３ＧＰＰ技術仕様TS24.234及びTS23.234を参照する。これら両方の文書は、ＷＬＡＮ（ワイヤレスローカルエリアネットワーク）インターワーキングに関連している。ＷＬＡＮインターワーキングは、提案されている３ＧＰＰシステムとＷＬＡＮファミリの標準との間のインターワーキングである。ＷＬＡＮ無線ネットワーク型技術の例は、ブルートゥース、IEEE標準802.11B、802.11G、802.11A及びHIPERLan-2を含む。ワイヤレスローカルエリアネットワークインターワーキングは、ＷＬＡＮ ＵＥ（ユーザ装置）をＷＬＡＮに接続することを可能にし、そこから訪問（ビジテッド）ＰＬＭＮ又はホームＨＰＬＭＮに接続することを可能にする。これらＰＬＭＮは３Ｇ通信システムである。ＷＬＡＮ ＵＥは、３ＧＰＰ加入者がＷＬＡＮインターワーキングにアクセスできるようにするために用いることができるすべてのユーザ装置である。これは、例えばコンピュータを含むことができる。ＷＬＡＮ ＵＥが、ＷＬＡＮに対するアクセスのみを行うことができるということ、又は、ＷＬＡＮ及び３ＧＰＰシステムに対するアクセスを行うことができるということ、を理解されたい。
【０００７】
提案されている仕様においては、ネットワーク選択手順は２つの部分を含む。第１部分は、無線選択である。これは、ネットワーク選択の第１フェーズであり、常にＶＰＬＭＮ（訪問ＰＬＭＮ）選択の前に行われる。このフェーズにおいては、ＷＬＡＮ ＵＥはアクセスポイントＡＰを選択し、選択したアクセスポイントＡＰにこのＷＬＡＮを結合させる。アクセスポイントの選択のために使用されるパラメータは、ＳＳＩＤ（サービスセットＩＤ）である。第２部分では、ＶＰＬＭＮが選択される。アクセスポイントの選択後、すなわち無線選択が完了した後に、ＷＬＡＮ ＵＥが、選択したＷＬＡＮの背後に１以上のＷＬＡＮが存在するか否かを確認するために、ＰＬＭＮを選択する必要がありうる。これは、ＷＬＡＮインターワーキングにおけるＶＰＬＭＮ選択と称される。
【発明の開示】
【発明が解決しようとする課題】
【０００８】
しかしながら、提案された手順には１つの問題がある。ＷＬＡＮ ＵＥは、アクセスポイントに結合した後に、ＶＰＬＭＮ選択プロセスを開始する。draft-arkko-pppext-eap-aka（ＥＡＰ ＡＫＡ（認証及びキー合意）認証）及びdraft-haverinen-pppext-eap-sim（ＥＡＰ ＳＩＭ（加入者識別モジュール））に定義されているＩＥＴＦ（インターネットエンジニアリングタスクフォース）案に定義されているＥＡＰ（拡張可能認証プロトコル）がある。これらの文書の内容は、引用により本明細書に組み込まれる。
【０００９】
手順が失敗したことを示すＥＡＰ失敗（EAP failure）をＷＬＡＮユーザ装置が受信したときに、その失敗の理由が通知されるとは限らない。これは好ましくないことである。なぜなら、ＷＬＡＮ ＵＥは、ＷＬＡＮインターワーキング（inter-working）をサポートし、及び／又は、ホームサーバに対してＷＬＡＮユーザ装置認証シグナリングをルーティングする能力を有する、アクセスポイントを見付けるまで、利用可能なアクセスポイントの各々に対する結合を終了することができないからである。この時点において、ＷＬＡＮユーザ装置は、そのＡＰがＷＬＡＮ ＩＷをサポートしているのか否かを認識していない可能性があり、したがって、ＥＡＰ信号をホームＡＡＡサーバにルーティングすることができない。また、そのＡＰが、例えばそれぞれのホームＰＬＭＮに対する直接的なローミング関係が存在しない等の他の理由によりルーティングに失敗するようなＷＬＡＮインターワーキングをサポートしている可能性もある。更に別の考えられる失敗の原因は、たとえそのＡＰがシグナリングをＨＰＬＭに対してルーティングできるとしても、ホームサーバにおける認証失敗であるかもしれない。
【００１０】
本発明の実施の形態は、上述した問題に対処することを目的としている。
【課題を解決するための手段】
【００１１】
本発明の第１の態様によれば、ワイヤレスローカルエリアネットワークを介してユーザ装置を通信ネットワークに接続する方法が提供され、この方法は、アクセスポイントを選択する第１選択ステップと、通信ネットワークを選択する第２選択ステップと、を含み、接続が失敗した場合に、通信ネットワークに対するインターワーキングを前記アクセスポイントがサポートしているか否かを示す情報を含むメッセージを送信する。
【００１２】
本発明の別の態様によれば、ワイヤレスローカルエリアネットワークを介してユーザ装置を通信ネットワークに接続する方法が提供され、この方法は、アクセスポイントを選択する第１選択ステップと、通信ネットワークを選択する第２選択ステップと、を含み、接続が失敗した場合に、前記接続が失敗した位置を示す情報を含むメッセージを送信する。
【００１３】
本発明の別の態様によれば、アクセスポイントを有するワイヤレスローカルエリアネットワークを介して通信ネットワークに接続されるユーザ装置を含むシステムが提供され、前記接続が失敗した場合に、前記ワイヤレスローカルエリアネットワークは、通信ネットワークに対するインターワーキングを前記アクセスポイントがサポートしているか否かを示す情報を含むメッセージをユーザ装置に送信するように構成されている。
【００１４】
本発明の別の態様によれば、アクセスポイントを有するワイヤレスローカルエリアネットワークを介して通信ネットワークに接続されるユーザ装置を含むシステムが提供され、前記接続が失敗した場合に、前記ワイヤレスローカルエリアネットワークは、前記接続が失敗した前記ネットワーク内の位置を示す情報を含むメッセージをユーザ装置に送信するように構成されている。
【００１５】
本発明の別の態様によれば、アクセスポイントを有するワイヤレスローカルエリアネットワークを介して通信ネットワークに接続されるユーザ装置を含むシステム内の前記ローカルエリアネットワークのエンティティが提供され、前記エンティティは、前記アクセスポイントが通信ネットワークに対するインターワーキングをサポートしているか否かを示す情報を含むメッセージをユーザ装置に送信するように構成されている。
【００１６】
本発明の別の態様によれば、ワイヤレスローカルエリアネットワークを介して通信ネットワークに接続するユーザ装置が提供され、このユーザ装置は、接続が失敗した場合に、アクセスポイントが通信ネットワークに対するインターワーキングをサポートしているか否かを示す情報、及び、前記接続が失敗した位置を示す情報のうち少なくとも一方を含むメッセージを受信する手段を具備する。
【００１７】
本発明の別の態様によれば、ワイヤレスローカルエリアネットワークを介して通信ネットワークに接続するユーザ装置が提供され、このユーザ装置は、接続が失敗した場合に、メッセージを受信する手段を具備し、前記メッセージに応答して、異なるアクセスポイントを選択すること、異なる通信ネットワークを選択すること、前記接続を確立することを再試行すること、認証を再試行すること、及び、識別情報を提供すること、のうち少なくとも１つを実行するように構成されている。
【発明を実施するための最良の形態】
【００１８】
本発明を十分に理解できるようにするために、本発明をどのようにして実現することができるかについて、以下、一例として添付図面のみを参照する。
【００１９】
本発明の実施の形態を実現することができる環境を示す図１を参照する。ＷＬＡＮユーザ装置２が示されている。上述したように、ＷＬＡＮ ＵＥ ２は、ＷＬＡＮのみと通信するように、又は、ＷＬＡＮ及びＧＰＰネットワークと通信するように、構成されている。ＵＥは、コンピュータやＷＬＡＮ無線インタフェースアダプタ等のようなエンドユーザが所有する全ての機器を含む。ＵＥは、例えば、携帯情報端末（ＰＤＡ）、ポータブルコンピュータ、設置されたコンピュータ、モバイル電話機、又は、これらを組み合わせたものとすることができる。
【００２０】
ＷＬＡＮ ＵＥは、アクセスポイント（ＡＰ）に接続するように構成されている。図２に示す構成には、３つのアクセスポイントＡＰ１、ＡＰ２及びＡＰ３が、示されている。これらのアクセスポイントは、全て異なるＷＬＡＮ内に設けられている。本発明のいくつかの実施の形態では、ＷＬＡＮが１以上のアクセスポイントを有することができるということ、及び、１以上のアクセスポイントが存在する場合には、ＷＬＡＮは、所定のＷＬＡＮにおける１つ以上のアクセスポイントにアクセスすることができるということを理解されたい。同一のアクセスポイントが、１つ以上の異なるＷＬＡＮに対するアクセスを可能にする。
【００２１】
３つのＡＰすなわちＡＰ１―３が一部を形成しているそれぞれのＷＬＡＮアクセスネットワークは、図示されていないが、中間ＡＡＡ（認証、許可、及びアカウンティング）要素を含むこともできる。ＷＬＡＮは、ルータのような他のデバイスを含むことができる。
【００２２】
第１アクセスポイントＡＰ１は、第１ＶＰＬＭＮ １０及び第２ＶＰＬＭＮ １２に接続されている。
【００２３】
図２は、第１ＶＰＬＭＮ１０に接続された第１アクセスポイントＡＰ１を含むＷＬＡＮ ４を示す。ＶＰＬＭＮ １０は、加入者のホームネットワークではない。したがって、ＶＰＬＭＮ１０は、ＡＡＡプロキシ２２及びＷＡＧ（無線アクセスゲートウェイ）２４を含む。ＶＰＬＭＮ１０は、ユーザ装置のユーザに結合されたホームＰＬＭＮ１８に接続されている。ＨＰＬＭＮ１８は、図２においてさらに詳細に示されている。ＨＰＬＭＮ１８は、ＡＡＡサーバ２６と、パケットデータゲートウェイ２８と、ホームロケーションレジスタＨＬＲ３０と、ＨＳＳ３２とを含んでいる。
【００２４】
第１アクセスポイントＡＰ１はまた、第２ＶＰＬＭＮ１２にも接続されている。しかしながら、この第２ＶＰＬＭＮ１２は、ＨＰＬＭＮ１８に接続できない。これは、例えばＨＰＬＭＮ１８に対する適切なローミング合意が存在しないからである。最後に、第１アクセスポイントはまた、ＨＰＬＭＮ１８にも直接的に接続されている。
【００２５】
第２アクセスポイントＡＰ２は、第３ＶＰＬＭＮ１４に接続されている。第３ＶＰＬＭＮ１４は、ＨＰＬＭＮ１８に対する接続を有している。第３ＶＰＬＭＮ１４が図２に示した第１ＶＰＬＭＮに類似した構造を有している、ということを理解されたい。
【００２６】
第３アクセスポイントＡＰ３は、インターネットサービスプロバイダ１６に接続されている。これにより、ユーザはインターネットにアクセスすることができる。
【００２７】
本発明の好ましい実施の形態では、ユーザ装置には、好ましいアドレスを列挙するＳＳＩＤ（サービスセット識別子）リストが設けられている。図１に示す実施の形態では、アドレスＳＳＩＤ１及びＳＳＩＤ１ａを有するアクセスポイント１ ＡＰ１が、このリストに含まれている。第１アドレスＳＳＩＤ１があるオペレータに関連付けられ、第２アドレスＳＳＩＤ１ａが別のオペレータに関連付けられている。
【００２８】
ユーザ装置はまた、好ましいＰＬＭＮリストをも有している。図１に示す構成では、第１ＶＰＬＭＮ１０及び第３ＶＰＬＭＮ１４が、好ましいＰＬＭＮであり、列挙されている。これは、これらのＶＰＬＭＮがユーザ装置をＨＰＬＭＮに接続できるようにするからである。
【００２９】
本発明の様々な実施の形態は、ＥＡＰ通知を使用することを提案する。具体的には、本発明の様々な実施の形態は、ＥＡＰ／ＳＩＭ通知（モバイル通信のためにＧＳＭグローバルシステムにおいて使用されている）及びＥＡＰ／ＡＫＡ通知（３Ｇシステムに使用されている）を使用する。本発明の様々な実施の形態は、（例えば、妥当でないネットワーク選択の結果としての）認証失敗応答の理由をユーザ装置に示すために、新しい通知コードを使用する。これが無線選択又はＶＰＬＭＮ選択失敗の何れかを暗示することができる、ということが理解できよう。この情報が、ネットワーク選択プロセスをより効果的にする。
【００３０】
本発明の４つの実施の形態におけるシグナリングを示す図３を参照する。
【００３１】
ケースａについて考える。ケースａでは、ＷＬＡＮ（ＡＰはその一部である）はＷＬＡＮインターワーキングをサポートする。ケースａに関連する例では、認証シグナリングをＨＰＬＭＮのＡＡＡサーバ２２にルーティングすることができない。
【００３２】
ステップＳ１では、ＷＬＡＮはＥＡＰ要求／識別を発行する。ＥＡＰ要求／識別は、ＵＥの識別についての要求である。
【００３３】
ステップＳ２では、ＵＥ２は、ＥＡＰ要求を受信すると、ＥＡＰ応答／識別メッセージを送信する。ＥＡＰ応答／識別は、ＵＥのアイデンティティを与える応答であり、例えば、ユーザの国際モバイル加入者識別（ＩＭＳＩ）、一時的識別、又は、他の任意の好適な識別情報とすることができる。本発明の好ましい実施の形態では、これはルートＮＡＩ（ネットワークアクセス識別子）とすることができる。これはuserX@ HPLM idという形をとることができる。換言すれば、ユーザ及びこのユーザに結合したネットワークが、識別される。
【００３４】
ステップＳ３において、ＷＬＡＮは、ネットワーク告示を含むＥＡＰ要求／識別メッセージを送信する。これは、ルートＮＡＩが理解されない場合に行われる。ステップＳ４において、ユーザ装置は、デコレーテッド（飾り）ＮＡＩ（ネットワークアクセス識別子）を含むＷＬＡＮ ＥＡＰ応答／識別メッセージを送信する。これはuserX@VPLMN1 “HPLMN”の形をとる。換言すれば、ＶＰＬＭＮであってこれを介してＨＰＬＭＮが接続されるＶＰＬＭＮをこのＨＰＬＭＮとともに識別する情報が存在する。ステップＳ３及びＳ４は、特別（extra）ＥＡＰ要求／識別及びＥＡＰ応答／識別交換（exchange）を使用して、ネットワーク告示情報をＵＥに対して与える。これらのステップは、選択的なものであって、ルートＮＡＴが理解されている場合には、本発明のいくつかの実施の形態では省略することができるものである。
【００３５】
ステップＳ５において、ＷＬＡＮは、ＥＡＰ通知コードをユーザ装置に送信する。ＥＡＰ通知は、失敗の原因を示す通知コードを含む。これは、ＷＬＡＮが、ＷＬＡＮインターワーキングをサポートしている旨の表示を含む。
【００３６】
ＷＬＡＮユーザ装置は、ＷＬＡＮがＷＬＡＮインターワーキングをサポートしている旨の表示を受信すると、別のアクセスポイントに対する結合を試みることができ、或いは、現在結合しているＡＰを依然として用いることを決定し、例えば別のＶＰＬＭＮを選択することによりＨＰＬＭＮに対する認証を試みることができる。勿論、他の動作も可能である。
【００３７】
ステップＳ６において、ＷＬＡＮは、ＥＡＰ失敗メッセージを送信する。ＥＡＰ失敗メッセージは、接続が失敗した場合に送信される。本発明のいくつかの実施の形態では、このメッセージについては、通知メッセージ内の情報を用いて失敗情報を与えるようにして、省略することができる。
【００３８】
次に、ケースｂを説明する。ケースｂでは、ＷＬＡＮはインターワーキングＷＬＡＮをサポートしない。ステップＴ１及びＴ２は、それぞれステップＳ１及びＳ２に対応している。必要に応じて、ステップＳ３及びＳ４に対応するステップを設けることができる。ステップＴ３において、ＷＬＡＮ２０はＥＡＰ失敗メッセージを送信する。この場合、ユーザ装置は、ＥＡＰ失敗の前にいかなるＥＡＰ通知をも受信しない可能性が高い。この手法により、ユーザ装置は、ＷＬＡＮがＷＬＡＮインターワーキングをサポートしていないであろうと認識する。
【００３９】
ケースＣ及びＤでは、ＷＬＡＮはＷＬＡＮインターワーキングをサポートしているが、認証が、ＨＰＬＭＮ１８において失敗している。
【００４０】
ケースｃでは、認証は開始されていない。ステップＡ１及びＡ２は、それぞれステップＳ１及びＳ２に対応している。ステップＡ３において、ルートＮＡＩ又はデコレーテッドＮＡＩを含むＥＡ応答がＷＬＡＮからＡＡＡサーバ２６に送られる。
【００４１】
ステップＡ４において、ＥＡＰ通知がサーバ２６からＷＬＡＮへ送られる。このＥＡＰ通知は、ステップＡ５においてＷＬＡＮによってユーザ装置に対して転送される。この通知は、手順が認証の前に失敗した旨を示す。ステップＡ６において、サーバ２６はＥＡＰ失敗メッセージをＷＬＡＮに対して送信する。ステップＡ７において、このＥＡＰ失敗メッセージがユーザ装置に対して送信される。
【００４２】
ケースＤでは、認証が実行されている。ステップＢ１、Ｂ２、及びＢ３は、ステップＡ１、Ａ２及びＡ３に対応する。
【００４３】
ステップＢ４において、ＥＡＰ通知がサーバ２６からＷＬＡＮ２０に送信される。ステップＢ５において、失敗が認証失敗の結果であった旨を示すこのＥＡＰ通知が、ＷＬＡＮ２０からユーザ装置２へ送られる。
【００４４】
ステップＢ６において、ＥＡＰ失敗メッセージがサーバ２６からＷＬＡＮ２０に送信される。ステップＢ７において、ＷＬＡＮ２０はこのＥＡＰ失敗メッセージをユーザ装置に送信する。
【００４５】
このように、ステップｃ及びｄの場合には、ＥＡＰ通知は、ＥＡＰ失敗メッセージが送られる前の認証失敗メッセージの表示を含む。この表示はまた、認証に失敗したときの状態に対するポインタ、及び／又は、ユーザ装置によって行われるさらなる動作を含むことができる。
【００４６】
ＨＰＬＭＮにおける認証失敗の表示を含む通知パケットを受信すると、ユーザ装置は、このユーザ装置をＨＰＬＭＮに対して認証することを試みることにより、動作を進めることができる。ネットワークが、ユーザ識別を理解していない旨を、新しい通知コード内において示している場合には、ＷＬＡＮユーザは、ＮＡＩを再発行し、再度認証を試みることができる。ネットワークが、いくつかの認証パラメータに対して例えばトリプレットに対してアクセスできない旨を、新しい通知コードにおいて示している場合には、ユーザ装置は、タイマが時間切れになった後に再度認証を試みることができる。他の動作、及び、何故認証に失敗したかという他の理由もまた、用いることができる。
【００４７】
本発明の様々な実施の形態は、上述したＩＥＴＦドラフト文書において定義されている属性“AT NOTIFICATION”を使用して実現される。
【００４８】
通知メッセージは、ユーザ装置に対する環境に依存して、ＷＬＡＮ又は３ＧＰＰサーバのいずれかにおける適切なサーバから表示可能なメッセージを搬送するために、使用することができるものである。これらのメッセージは、テキストメッセージである。
【００４９】
通知コードは、16ビット数である。最上位ビットを失敗ビット（Ｆ）という。Ｆビットは、その通知が失敗を暗示しているか否かを記述する。０にセットされているＦビットのコード値は、不成功の場合について使用され、好ましい実施の形態では、失敗が発生した場合に０にセットされ、その失敗の理由が通知メッセージ内に含まれる。
【００５０】
通知コードはまた、フェーズビット「Ｐ」を有している。これは、通知を使用することができるフェーズを指定する。Ｐビットが０にセットされていれば、通知は、完全認証におけるチャレンジラウンド又は再認証中の再認証の後に使用される。通知の中に属性AT MACを含めることができる。
【００５１】
Ｐビットが１にセットされていれば、通知は、完全認証におけるチャレンジラウンド、又は、再認証中の再認証ラウンドの前に使用される。通知の中に属性AT MACを含めることはできない。
【００５２】
本発明の様々な実施の形態では、エラーの原因は、適切なテキストによって指示することができ、或いは、それらエラーの原因は、エラーコードによって表示するものとすることができる。エラーコードは、様々なエラー状態に対して様々な値を効果的に割り当てる。エラーコードが使用される場合、ユーザ装置は、失敗の原因を特定するようにこれらのエラーコードをデコードするよう、構成される。
【００５３】
失敗の原因を識別する情報に応答して、ユーザ装置は適切なメッセージをユーザに表示することができる。これに代えて又はこれに加えて、ユーザ装置は、エラーメッセージに応答して、上述したいくつかの例に示したように、そのユーザ装置の動作を変更することができる。
【００５４】
このように、本発明の様々な実施の形態では、次に示す失敗理由を用いることができる。
・認証シグナリングをサーバにルーティングできなかった旨を示す情報、
・認証シグナリングはサーバにルーティングされたが、認証が失敗した旨を示す情報、
・認証シグナリングはサーバにルーティングされたが、チャンレンジの前に認証が失敗した旨を示す情報、
・認証シグナリングはサーバにルーティングされたが、チャンレンジの後に認証が失敗した旨を示す情報、
・上記アクセスポイントが上記通信ネットワークに対するインターワーキングをサポートしない旨を示す情報、
・ホームネットワークに対するローミング関係が存在しない旨を示す情報、
・ネットワーク失敗の位置を示す情報、
・上記失敗の理由を示す情報、
・上記アクセスポイント及び通信ネットワークのうちの少なくとも一方における内部失敗を示す情報、
・上記アクセスポイント及び通信ネットワークのうちの少なくとも一方における一時的使用不能を示す情報、及び
・トラフィック輻輳を示す情報。
【００５５】
本発明の好ましい様々な実施の形態では、接続失敗の原因に関する情報の提供に対する要求は、インターワーキングがサポートされていない場合を除き、必須ものである。
【００５６】
以上、エラー情報を供給するために通知メッセージを使用する場合を例にとり、本発明の実施の形態を説明してきた。上記情報を提供するために新しいメッセージを生成することができるということ、或いは、この情報を提供するために他のメッセージの１つを変更することもできるということを理解されたい。例えば、新しい属性を定義することができる。
【００５７】
本発明の別の実施形態では、ＥＡＰ−ＴＬＶ型長さ値を用いることができる。
【００５８】
以上、ＥＡＰプロトコルを例にとり本発明の実施の形態を説明してきた。しかしながら、本発明の別の実施の形態では、他のプロトコルを使用することができる、ということを理解されたい。
【００５９】
３Ｇネットワークに対するインターワーキングを例にとり本発明の好ましい実施の形態を説明してきた。本発明の様々な実施の形態は、インターネットを含む他のタイプのネットワーク、及び、固定網技術又はワイヤレス技術に基づくことができる他のタイプの通信ネットワークに適用することができるものである。
【図面の簡単な説明】
【００６０】
【図１】本発明の実施の形態を実現することができる環境を模式的に示す図。
【図２】図１のＶＰＬＭ及びＨＰＬＭをさらに詳細に示す図。
【図３】本発明の様々な実施の形態におけるシグナリングを示す図。
【図１】
2007518332.tif 000003
【図２】
2007518332.tif 000004
【図３】
2007518332.tif 000005
【国際調査報告】
2007518332.tif 000006
2007518332.tif 000007